(57)【要約】【課題】  操作感を損なうことなくハンドルを確実に携帯装置本体に対する所定の位置で固定でき、安全性を確保できるハンドル機構を提供すること。【解決手段】  コ字形に形成されたハンドルの各端部をロック・リリース機能が組み込まれた取りつけ機構を介して携帯装置の本体側面に回動可能に取りつけ、ハンドルを携帯装置の本体側面に対して第１位置または第２位置で半固定できるように構成したことを特徴とするもの。【選択図】  図１
2006300668.tif 000002
【特許請求の範囲】
【請求項１】
コ字形に形成されたハンドルの各端部をロック・リリース機能が組み込まれた取りつけ機構を介して携帯装置の本体側面に回動可能に取りつけ、ハンドルを携帯装置の本体側面に対して第1位置または第2位置で半固定できるように構成したことを特徴とするハンドル機構。
【請求項２】
前記取りつけ機構は、押し込むことによりロックが解除されてハンドルが回動可能になり、ハンドルを所定の位置まで回動させることにより自動的にロックされることを特徴とする請求項１記載のハンドル機構。
【請求項３】
前記携帯装置は、電子機器であることを特徴とする請求項１記載のハンドル機構。
【請求項４】
前記電子機器は測定器であることを特徴とする請求項３記載のハンドル機構。
【発明の詳細な説明】
【技術分野】
【０００１】
本発明は、測定器などの携帯装置に組み込まれるハンドルの改良に関するものである。
【背景技術】
【０００２】
図６は従来の携帯形測定器の一例を示す斜視図、図７および図８はそれぞれ使用状態を示す側面図である。
測定器の上面１の中央部分には、上面１の両側を挟むようにして、コ字形のハンドル２が回動可能に取りつけられている。背面３の上面１近傍の両側には、固定脚部４が取りつけられている。これら固定脚部４には、これら固定脚部４を挟むようにして、コ字形のスタンド５が回動可能に取りつけられている。
【０００３】
ハンドル２は測定器の運搬時に用いるものであり、運搬時以外は、図６および図７に実線で示すように、上面１と平行に収納されている。運搬時には、図７に破線で示すように、上面１に対して垂直な運搬位置までほぼ９０度回動させる。
【０００４】
スタンド５は測定時に必要に応じて用いるものであり、必要時以外は、実線で示すように、背面３と平行に収納されている。必要時には、図７に破線および図８に実線で示すように、背面３に対して垂直な運搬位置までほぼ９０度回動させて、前面６を測定器の配置面７に対して傾斜させる。
【０００５】
【特許文献１】特開２０００−００９７５８
【０００６】
特許文献１には、折りたたみ可能なスタンドと、選択されたしきい値未満の力で選択された位置からハンドルがずれるのを阻止するように動作するピボット機構を介して回転可能に取りつけられた可動ハンドルを備えた測定器の構成が開示されているが、本発明のように、ハンドルにロック機構およびリリース機構を持たせることは記載されていない。
【発明の開示】
【発明が解決しようとする課題】
【０００７】
従来の構成によれば、上面１にハンドル２を設けるとともに背面３に固定脚部４およびスタンド５を設けていることから部品点数が多くなり、これら部品の組立てや管理に多大の工数がかかってしまう。
【０００８】
本発明は、これらの問題に着目したものであり、その目的は、操作感を損なうことなくハンドルを確実に携帯装置本体に対する所定の位置で固定でき、安全性を確保できるハンドル機構を提供することにある。
【課題を解決するための手段】
【０００９】
上記目的を達成する請求項１の発明は、
コ字形に形成されたハンドルの各端部をロック・リリース機能が組み込まれた取りつけ機構を介して携帯装置の本体側面に回動可能に取りつけ、ハンドルを携帯装置の本体側面に対して第１位置または第２位置で半固定できるように構成したことを特徴とするハンドル機構である。
【００１０】
請求項２の発明は、請求項１記載のハンドル機構において、
前記取りつけ機構は、押し込むことによりロックが解除されてハンドルが回動可能になり、ハンドルを所定の位置まで回動させることにより自動的にロックされることを特徴とする。
【００１１】
請求項３の発明は、請求項１記載のハンドル機構において、
前記携帯装置は、電子機器であることを特徴とする。
【００１２】
請求項４の発明は、請求項３記載のハンドル機構において、
前記電子機器は測定器であることを特徴とする。
【発明の効果】
【００１３】
これらにより、操作感を損なうことなくハンドルを確実に携帯装置本体に対する所定の位置で固定でき、安全性を確保できるハンドル機構が得られる。
【発明を実施するための最良の形態】
【００１４】
以下、図面を参照し、本発明の実施形態例に基づいて、本発明を詳細に説明する。図１は本発明を用いた測定器の一例を示す斜視図、図２および図３はそれぞれ使用状態を示す側面図である。
【００１５】
携帯装置である測定器の両側面８，９における上面近傍の中央部分には、コ字形のハンドル１０の各端部が、図２に実線で示す第１位置または破線で示す第２位置の２箇所のみで半固定できるように構成されたロック・リリース機能が組み込まれた取りつけ機構１１を介して、回動可能に取りつけられている。
【００１６】
図１のようにハンドル１０が第1位置にロックされた状態は主に測定器を運搬する際に使用し、図３のようにハンドル１０が第２位置にロックされた状態は主に測定作業者が表示画面１２を見やすいように測定器の前面１３を測定器の配置面１４に対して傾斜させて測定を行う際に使用する。
【００１７】
ハンドル１０は、第１位置または第２位置の一方の定位置にある状態からロック・リリース機能が組み込まれた取りつけ機構１１の部分を押し込んでロックを解除(リリース)することにより、他方の定位置へ回動させて移動させることができる。そして、ハンドル１０を第１位置または第２位置の定位置まで回動させることにより自動的にロックがかかり、ハンドル１０は固定される。
【００１８】
図４はロック・リリース機能が組み込まれた取りつけ機構１１の構成例図、図５は図４に示す構成部品の拡大構成例図である。ハンドル１０の端部を測定器の側面８，９に取り付けるのにあたっては、ハンドル１０自身のバネ性能を利用して両端を左右に広げるとともに、側面８，９とプレート１５の間にスプリング１６を挟み込むようにする。
【００１９】
そして、ネジ１７をハンドル１０の外側から本体に締め付け固定し、ネジ１７を隠すようにハンドル１０の両端にハンドルカバー１８をプレート１５に組み付ける。
【００２０】
図5に示すように、ハンドルカバー１８を円周方向に回転させることにより、プレート１５に対しラッチの着脱ができる。さらに、Ａ-Ａ断面図およびＢ部詳細図に示すように、ハンドルカバー１８の一部がプレート１５の一部に入り込むことによりラッチがかかってハンドルカバー１８はプレート１５に固定される。
【００２１】
ハンドルカバー１８とプレート１５の結合を回転によるラッチ方式とすることにより、部品点数を削減でき、ハンドルカバー１８の外周側面がハンドル１０の端部本体に覆われることによって外観のデザイン性の向上が図れ、ハンドルカバー１８の着脱を特別な工具を用いることなく行える。
【００２２】
なお、ハンドルカバー１８とプレート１５のラッチの着脱に必要な力は、ハンドルカバー１８の一部がプレート１５の一部に入り込む量を調節することによって変更できる。
【００２３】
また本発明を、スイッチ・ボタン操作を必要とする電子機器に組み込んだ場合であっても、電子機器の配置姿勢を変えて安定させて使用する際にスイッチ・ボタン操作などに必要な力以上の負荷にも耐えうる安全性能が得られる。
【００２４】
また、携帯目的のためだけの単独機能ハンドルを装備した時に較べて、部品点数の削減が可能である。
【００２５】
以上説明したように、本発明によれば、操作感を損なうことなくハンドルを確実に携帯装置本体に対する所定の位置で固定でき、安全性を確保できるハンドル機構を提供することができ、測定器や電子機器などの各種携帯装置のハンドル機構として好適である。
【図面の簡単な説明】
【００２６】
【図１】本発明を用いた測定器の一例を示す斜視図である。
【図２】図１の使用状態を示す側面図である。
【図３】図１の使用状態を示す側面図である。
【図４】ロック・リリース機能が組み込まれた取りつけ機構１１の構成例図である。
【図５】図４に示す構成部品の拡大構成例図である。
【図６】従来の携帯形測定器の一例を示す斜視図である。
【図７】図６の使用状態を示す側面図である。
【図８】図６の使用状態を示す側面図である。
【符号の説明】
【００２７】
８，９  側面
１０  ハンドル
１１  取りつけ機構
１２  表示画面
１３  前面
１４  配置面
１５  プレート
１６  スプリング
１７  ネジ
１８  ハンドルカバー
【図１】
2006300668.tif 000003
【図２】
2006300668.tif 000004
【図３】
2006300668.tif 000005
【図４】
2006300668.tif 000006
【図５】
2006300668.tif 000007
【図６】
2006300668.tif 000008
【図７】
2006300668.tif 000009
【図８】
2006300668.tif 000010